(57)【要約】【課題】他の輝度領域に影響を与えることなく画像のディテールの表現を改善する画像処理装置、画像表示装置及び画像処理方法を提供する。【解決手段】画像信号を補正する画像処理装置は、前記画像信号の輝度成分の空間周波数を解析する周波数解析部と、所与の空間周波数帯域において所与の輝度レベル範囲の画像信号に対してのみ、該画像信号の輝度成分の補正量を、前記周波数解析部の解析結果に応じて算出する輝度成分補正量算出部と、前記輝度成分補正量算出部によって算出された前記補正量を用いて、前記画像信号の輝度成分を補正する輝度成分補正部とを含む。【選択図】図４
2010118890.tif 000002
【特許請求の範囲】
【請求項１】
画像信号を補正する画像処理装置であって、
前記画像信号の輝度成分の空間周波数を解析する周波数解析部と、
所与の空間周波数帯域において所与の輝度レベル範囲の画像信号に対してのみ、該画像信号の輝度成分の補正量を、前記周波数解析部の解析結果に応じて算出する輝度成分補正量算出部と、
前記輝度成分補正量算出部によって算出された前記補正量を用いて、前記画像信号の輝度成分を補正する輝度成分補正部とを含むことを特徴とする画像処理装置。
【請求項２】
請求項１において、
前記周波数解析部は、
前記画像信号の輝度成分の所与の高周波成分を抽出する高周波成分抽出部を含み、
前記輝度成分補正量算出部は、
前記高周波成分抽出部によって抽出された前記高周波成分に対応した周波数ゲインを算出する周波数ゲイン算出部を含み、
前記空間周波数帯域における所与の輝度レベル範囲の輝度成分と、前記周波数ゲイン算出部によって算出された前記周波数ゲインとに基づいて、前記輝度成分の補正量を算出することを特徴とする画像処理装置。
【請求項３】
請求項２において、
前記輝度成分補正量算出部は、
前記画像信号の輝度成分のレベルに対応した輝度ゲインを算出する輝度ゲイン算出部を含み、
前記空間周波数帯域の信号と、前記周波数ゲインと、前記輝度ゲイン算出部によって算出された前記輝度ゲインとに基づいて、前記輝度成分の補正量を算出することを特徴とする画像処理装置。
【請求項４】
請求項１乃至３のいずれかにおいて、
前記画像信号の輝度成分から前記空間周波数帯域の信号を抽出する信号抽出部を含むことを特徴とする画像処理装置。
【請求項５】
請求項１乃至４のいずれかにおいて、
前記周波数解析部は、
前記画像信号の輝度成分から所与の輝度ノイズ成分を除去する輝度ノイズ除去部を含み、
前記輝度成分補正部は、
前記補正量を用いて、前記輝度ノイズ除去部によって前記輝度ノイズ成分が除去された前記画像信号の輝度成分を補正することを特徴とする画像処理装置。
【請求項６】
請求項１乃至５のいずれかにおいて、
前記輝度成分補正部による補正前後においてｘｙ色度の値が変化しないように前記画像信号の色差成分を補正する色差成分補正部を含むことを特徴とする画像処理装置。
【請求項７】
請求項６において、
前記輝度成分補正部による補正前後の前記画像信号の輝度成分に基づいて、ｘｙ色度の値が変化しないように該画像信号の色差成分の補正量を算出する色差成分補正量算出部を含み、
前記色差成分補正部が、
前記色差成分補正量算出部によって算出された前記色差成分の補正量を用いて、前記画像信号の色差成分を補正することを特徴とする画像処理装置。
【請求項８】
請求項７において、
前記色差成分の調整パラメータを記憶する調整パラメータ記憶部を含み、
補正前の前記輝度成分をＹｉｎ、補正後の前記輝度成分をＹｏｕｔ、前記調整パラメータをｂとしたとき、
前記色差成分補正部は、
（１−ｂ×（１−Ｙｏｕｔ／Ｙｉｎ））を色差ゲインとして、前記画像信号の色差成分に前記色差ゲインを乗算することで前記色差成分を補正することを特徴とする画像処理装置。
【請求項９】
画像信号に基づいて画像を表示する画像表示装置であって、
前記画像信号を補正する請求項１乃至８のいずれか記載の画像処理装置と、
前記画像処理装置によって補正された画像信号に基づいて画像を表示する画像表示部とを含むことを特徴とする画像表示装置。
【請求項１０】
画像信号を補正する画像処理方法であって、
前記画像信号の輝度成分の空間周波数を解析する周波数解析ステップと、
所与の空間周波数帯域において所与の輝度レベル範囲の画像信号に対してのみ、該画像信号の輝度成分の補正量を、前記周波数解析ステップの解析結果に応じて算出する輝度成分補正量算出ステップと、
前記輝度成分補正量算出ステップにおいて算出された前記補正量を用いて、前記画像信号の輝度成分を補正する輝度成分補正ステップとを含むことを特徴とする画像処理方法。
【請求項１１】
請求項１０において、
前記周波数解析ステップは、
前記画像信号の輝度成分のうち所与の高周波成分を抽出する高周波成分抽出ステップを含み、
前記輝度成分補正量算出ステップは、
前記高周波成分抽出ステップにおいて抽出された前記高周波成分に対応した周波数ゲインを算出する周波数ゲイン算出ステップを含み、
前記空間周波数帯域における所与の輝度レベル範囲の輝度成分と、前記周波数ゲイン算出ステップにおいて算出された前記周波数ゲインとに基づいて、前記輝度成分の補正量を算出することを特徴とする画像処理方法。
【請求項１２】
請求項１１において、
前記輝度成分補正量算出ステップは、
前記画像信号の輝度成分のレベルに対応した輝度ゲインを算出する輝度ゲイン算出ステップを含み、
前記空間周波数帯域の信号と、前記周波数ゲインと、前記輝度ゲイン算出ステップにおいて算出された前記輝度ゲインとに基づいて、前記輝度成分の補正量を算出することを特徴とする画像処理方法。
【請求項１３】
請求項９乃至１２のいずれかにおいて、
前記周波数解析ステップは、
前記画像信号の輝度成分から輝度ノイズ成分を除去する輝度ノイズ除去ステップを含み、
前記輝度成分補正ステップは、
前記補正量を用いて、前記輝度ノイズ除去ステップにおいて前記輝度ノイズ成分が除去された前記画像信号の輝度成分を補正することを特徴とする画像処理方法。
【請求項１４】
請求項９乃至１３のいずれかにおいて、
前記輝度成分補正ステップによる補正前後においてｘｙ色度の値が変化しないように前記画像信号の色差成分を補正する色差成分補正ステップを含むことを特徴とする画像処理方法。
【請求項１５】
請求項１４において、
前記輝度成分補正ステップによる補正前後の前記画像信号の輝度成分に基づいて、ｘｙ色度の値が変化しないように該画像信号の色差成分の補正量を算出する色差成分補正量算出ステップを含み、
前記色差成分補正ステップが、
前記色差成分補正量算出ステップにおいて算出された前記色差成分の補正量を用いて、前記画像信号の色差成分を補正することを特徴とする画像処理方法。
【発明の詳細な説明】
【技術分野】
【０００１】
本発明は、画像処理装置、画像表示装置及び画像処理方法に関する。
【背景技術】
【０００２】
近年、映像コンテンツの階調数やダイナミックレンジが増加し、表示された映像の暗部や明部が、表示機器のコントラスト不足によって表現できず、暗部や明部のディテールを完全に再現できないことが多くなっている。このような暗部や明部のディテールを表現するために、白黒伸張と呼ばれる画像適応型の階調補正処理が行われる。
【０００３】
図２５に、上記の階調補正処理の説明図を示す。図２５では、階調補正処理中の各画像信号により表される画像の特性として、横軸に画像の水平方向の位置、縦軸に輝度レベルを模式的に表している。
【０００４】
入力画像ＩＭＧ１は、左側が低輝度（低階調）で、右側が高輝度（高階調）の画像であり、輝度が低い領域においても微小な階調変化を有し、輝度が高い領域においても微小な階調変化を有する。このような入力画像ＩＭＧ１に対して上記の階調補正処理を行う場合、図２５に示すように、全体的に輝度を上げるように上に凸のガンマ補正曲線に従って階調補正が行われる。その結果、階調補正後の出力画像ＩＭＧ２では、画面全体に輝度が上がり、左側の低輝度の領域では輝度が伸張されるものの、低輝度の領域において平均的な輝度も上昇してしまう。
【０００５】
上述のように、従来の階調補正処理では、例えば画像に暗部が含まれるときには低階調側の輝度が上がるように全体的に輝度を上げることで、暗部の微小な階調変化を表現できるようにする。その一方、例えば画像に明部が含まれるときには高階調側の輝度が下がるように全体的に輝度を下げることで、明部の微小な階調変化を表現できるようにする。
【０００６】
このような階調補正処理に関する技術については、例えば特許文献１に開示されている。特許文献１では、入力画像の平均輝度に応じたガンマ補正曲線を算出し、該ガンマ補正曲線に従って入力画像の輝度補正を行う技術が開示されている。この特許文献１に開示された技術では、入力画像の平均輝度が低いほど、補正後の輝度の増幅率が上昇する。また、入力画像が動画のとき、画面の平均輝度を前フレームの平均輝度との線形和に基づいてガンマ補正曲線を求めることで、補正後の動画のちらつきを抑える。
【０００７】
【特許文献１】特開２００４−２６６７５５号公報
【発明の開示】
【発明が解決しようとする課題】
【０００８】
しかしながら、特許文献１に開示された技術では、画面全体に対して一律の輝度補正を行うため、暗部のディテールだけでなく、暗部全体や他の輝度領域も明るく表現されてしまうという問題がある。そのため、暗部と明部とが混在している場合には、例えば暗部のディテールを表現できるようになる一方で、明部のディテールを表現できなくなることがある。
【０００９】
また、特許文献１に開示された技術では、輝度成分のみを補正するため、各画素の色度が変化し、画面全体の色の傾向が変化してしまう。この場合、輝度成分の補正のみでは画質を劣化させてしまう可能性もあり、画像のディテールを表現する場合に画面全体の色の傾向を維持できることが望ましい。
【００１０】
本発明は、以上のような技術的課題に鑑みてなされたものであり、その目的の１つは、他の輝度領域に影響を与えることなく画像のディテールの表現を改善する画像処理装置、画像表示装置及び画像処理方法を提供することにある。
【課題を解決するための手段】
【００１１】
上記課題を解決するために本発明は、画像信号を補正する画像処理装置であって、前記画像信号の輝度成分の空間周波数を解析する周波数解析部と、所与の空間周波数帯域において所与の輝度レベル範囲の画像信号に対してのみ、該画像信号の輝度成分の補正量を、前記周波数解析部の解析結果に応じて算出する輝度成分補正量算出部と、前記輝度成分補正量算出部によって算出された前記補正量を用いて、前記画像信号の輝度成分を補正する輝度成分補正部とを含む画像処理装置に関係する。
【００１２】
本発明によれば、画像信号の輝度成分の空間周波数を解析し、所与の空間周波数帯域において所与の輝度レベル範囲の画像信号に対してのみ、該画像信号の輝度成分を、輝度成分の空間周波数の解析結果に応じて補正量を算出し、該補正量を用いて輝度成分を補正するようにしたので、画面全体に対して一律の補正を行うことなく、暗部と明部とが混在している場合であっても、暗部と明部の両方のディテールを表現できるように画像信号を補正できるようになる。更に、画像の暗部のディテールと輝度ノイズとを区別することができるので、暗部のディテールと一緒に輝度ノイズを強調してしまう事態を回避できるようになる。
【００１３】
また本発明に係る画像処理装置では、前記周波数解析部は、前記画像信号の輝度成分の所与の高周波成分を抽出する高周波成分抽出部を含み、前記輝度成分補正量算出部は、前記高周波成分抽出部によって抽出された前記高周波成分に対応した周波数ゲインを算出する周波数ゲイン算出部を含み、前記空間周波数帯域における所与の輝度レベル範囲の輝度成分と、前記周波数ゲイン算出部によって算出された前記周波数ゲインとに基づいて、前記輝度成分の補正量を算出することができる。
【００１４】
本発明によれば、輝度成分の高周波成分を抽出し、該高周波成分に対応した周波数ゲインと、所与の空間周波数帯域における所与の輝度レベル範囲の輝度成分とに基づいて補正量を算出するようにしたので、簡素な処理で、暗部のディテールと輝度ノイズとを区別して、暗部のディテールと一緒に輝度ノイズを強調してしまう事態を回避できるようになる。
【００１５】
また本発明に係る画像処理装置では、前記輝度成分補正量算出部は、前記画像信号の輝度成分のレベルに対応した輝度ゲインを算出する輝度ゲイン算出部を含み、前記空間周波数帯域の信号と、前記周波数ゲインと、前記輝度ゲイン算出部によって算出された前記輝度ゲインとに基づいて、前記輝度成分の補正量を算出することができる。
【００１６】
本発明によれば、所与の空間周波数帯域の信号に対して、輝度ゲインにより所与の輝度成分のレベル範囲の信号を特定することができるので、簡素な構成により、所与の空間周波数帯域において所与の輝度レベル範囲の輝度成分に対してのみ該画像信号の輝度成分を補正することができるようになる。
【００１７】
また本発明に係る画像処理装置では、前記画像信号の輝度成分から前記空間周波数帯域の信号を抽出する信号抽出部を含むことができる。
【００１８】
本発明によれば、簡素な構成で、所与の輝度レベル範囲の輝度成分のうち、所与の空間周波数帯域の成分を抽出できるようになる。
【００１９】
また本発明に係る画像処理装置では、前記周波数解析部は、前記画像信号の輝度成分から所与の輝度ノイズ成分を除去する輝度ノイズ除去部を含み、前記輝度成分補正部は、前記補正量を用いて、前記輝度ノイズ除去部によって前記輝度ノイズ成分が除去された前記画像信号の輝度成分を補正することができる。
【００２０】
本発明によれば、輝度ノイズが除去された輝度成分に対して、輝度成分補正部により算出された補正量を用いて補正するようにしたので、暗部と明部の両方のディテールを表現し、且つ、画像の暗部のディテールと輝度ノイズとを区別する画像信号の補正を高精度に行うことができるようになる。
【００２１】
また本発明に係る画像処理装置では、前記輝度成分補正部による補正前後においてｘｙ色度の値が変化しないように前記画像信号の色差成分を補正する色差成分補正部を含むことができる。
【００２２】
本発明によれば、輝度成分の補正前後におけるｘｙ色度の値が変化しないように輝度成分の補正と連動して色差成分を補正するようにしたので、上記の効果に加えて、各画素の色度が変化して画面の全体的な色の傾向が変化するという事態を回避でき、画像のディテールを表現する場合に画面全体の色の傾向を維持できるようになる。
【００２３】
また本発明に係る画像処理装置では、前記輝度成分補正部による補正前後の前記画像信号の輝度成分に基づいて、ｘｙ色度の値が変化しないように該画像信号の色差成分の補正量を算出する色差成分補正量算出部を含み、前記色差成分補正部が、前記色差成分補正量算出部によって算出された前記色差成分の補正量を用いて、前記画像信号の色差成分を補正することができる。
【００２４】
本発明によれば、画像信号の輝度成分の補正と連動して、輝度成分の補正量に応じて色差成分を補正するようにしたので、輝度成分の補正前後におけるｘｙ色度の値を変化させることなく、画像の暗部や明部のディテールを表現可能な画像信号の補正が可能となる。
【００２５】
また本発明に係る画像処理装置では、前記色差成分の調整パラメータを記憶する調整パラメータ記憶部を含み、補正前の前記輝度成分をＹｉｎ、補正後の前記輝度成分をＹｏｕｔ、前記調整パラメータをｂとしたとき、前記色差成分補正部は、（１−ｂ×（１−Ｙｏｕｔ／Ｙｉｎ））を色差ゲインとして、前記画像信号の色差成分に前記色差ゲインを乗算することで前記色差成分を補正することができる。
【００２６】
本発明によれば、画像信号の輝度成分の補正に連動した色差成分の補正を簡素な処理で実現できるようになる。
【００２７】
また本発明は、画像信号に基づいて画像を表示する画像表示装置であって、前記画像信号を補正する上記のいずれか記載の画像処理装置と、前記画像処理装置によって補正された画像信号に基づいて画像を表示する画像表示部とを含む画像表示装置に関係する。
【００２８】
本発明によれば、他の輝度領域に影響を与えることなく画像のディテールの表現を改善する画像表示装置を提供できるようになる。
【００２９】
また本発明は、画像信号を補正する画像処理方法であって、前記画像信号の輝度成分の空間周波数を解析する周波数解析ステップと、所与の空間周波数帯域において所与の輝度レベル範囲の画像信号に対してのみ、該画像信号の輝度成分の補正量を、前記周波数解析ステップの解析結果に応じて算出する輝度成分補正量算出ステップと、前記輝度成分補正量算出ステップにおいて算出された前記補正量を用いて、前記画像信号の輝度成分を補正する輝度成分補正ステップとを含むことができる。
【００３０】
本発明によれば、画像信号の輝度成分の空間周波数を解析し、所与の空間周波数帯域において所与の輝度レベル範囲の画像信号に対してのみ、該画像信号の輝度成分を、輝度成分の空間周波数の解析結果に応じて補正量を算出し、該補正量を用いて輝度成分を補正するようにしたので、画面全体に対して一律の補正を行うことなく、暗部と明部とが混在している場合であっても、暗部と明部の両方のディテールを表現できるように画像信号を補正できるようになる。更に、画像の暗部のディテールと輝度ノイズとを区別することができるので、暗部のディテールと一緒に輝度ノイズを強調してしまう事態を回避できるようになる。
【００３１】
また本発明に係る画像処理方法では、前記周波数解析ステップは、前記画像信号の輝度成分のうち所与の高周波成分を抽出する高周波成分抽出ステップを含み、前記輝度成分補正量算出ステップは、前記高周波成分抽出ステップにおいて抽出された前記高周波成分に対応した周波数ゲインを算出する周波数ゲイン算出ステップを含み、前記空間周波数帯域における所与の輝度レベル範囲の輝度成分と、前記周波数ゲイン算出ステップにおいて算出された前記周波数ゲインとに基づいて、前記輝度成分の補正量を算出することができる。
【００３２】
本発明によれば、輝度成分の高周波成分を抽出し、該高周波成分に対応した周波数ゲインと、所与の空間周波数帯域における所与の輝度レベル範囲の輝度成分とに基づいて補正量を算出するようにしたので、簡素な処理で、暗部のディテールと輝度ノイズとを区別して、暗部のディテールと一緒に輝度ノイズを強調してしまう事態を回避できるようになる。
【００３３】
また本発明に係る画像処理方法では、前記輝度成分補正量算出ステップは、前記画像信号の輝度成分のレベルに対応した輝度ゲインを算出する輝度ゲイン算出ステップを含み、前記空間周波数帯域の信号と、前記周波数ゲインと、前記輝度ゲイン算出ステップにおいて算出された前記輝度ゲインとに基づいて、前記輝度成分の補正量を算出することができる。
【００３４】
本発明によれば、所与の空間周波数帯域の信号に対して、輝度ゲインにより所与の輝度成分のレベル範囲の信号を特定することができるので、簡素な構成により、所与の空間周波数帯域において所与の輝度レベル範囲の輝度成分に対してのみ該画像信号の輝度成分を補正することができるようになる。
【００３５】
また本発明に係る画像処理方法では、前記周波数解析ステップは、前記画像信号の輝度成分から輝度ノイズ成分を除去する輝度ノイズ除去ステップを含み、前記輝度成分補正ステップは、前記補正量を用いて、前記輝度ノイズ除去ステップにおいて前記輝度ノイズ成分が除去された前記画像信号の輝度成分を補正することができる。
【００３６】
本発明によれば、輝度ノイズが除去された輝度成分に対して、輝度成分補正部により算出された補正量を用いて補正するようにしたので、暗部と明部の両方のディテールを表現し、且つ、画像の暗部のディテールと輝度ノイズとを区別する画像信号の補正を高精度に行うことができるようになる。
【００３７】
また本発明に係る画像処理方法では、記輝度成分補正ステップによる補正前後においてｘｙ色度の値が変化しないように前記画像信号の色差成分を補正する色差成分補正ステップを含むことができる。
【００３８】
本発明によれば、輝度成分の補正前後におけるｘｙ色度の値が変化しないように輝度成分の補正と連動して色差成分を補正するようにしたので、上記の効果に加えて、各画素の色度が変化して画面の全体的な色の傾向が変化するという事態を回避でき、画像のディテールを表現する場合に画面全体の色の傾向を維持できるようになる。
【００３９】
また本発明に係る画像処理方法では、前記輝度成分補正ステップによる補正前後の前記画像信号の輝度成分に基づいて、ｘｙ色度の値が変化しないように該画像信号の色差成分の補正量を算出する色差成分補正量算出ステップを含み、前記色差成分補正ステップが、前記色差成分補正量算出ステップにおいて算出された前記色差成分の補正量を用いて、前記画像信号の色差成分を補正することができる。
【００４０】
本発明によれば、画像信号の輝度成分の補正と連動して、輝度成分の補正量に応じて色差成分を補正するようにしたので、輝度成分の補正前後におけるｘｙ色度の値を変化させることなく、画像の暗部や明部のディテールを表現可能な画像信号の補正が可能となる。
【発明を実施するための最良の形態】
【００４１】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００４２】
以下では、本発明に係る画像表示装置としてプロジェクタを例に説明するが、本発明に係る画像表示装置がプロジェクタに限定されるものではない。
【００４３】
〔実施形態１〕
図１に、本発明に係る実施形態１における画像表示システムの構成例のブロック図を示す。
【００４４】
画像表示システム１０は、画像表示装置としてのプロジェクタ２０と、スクリーンＳＣＲとを含む。プロジェクタ２０は、入力画像信号に基づいて図示しない光源からの光を変調し、変調後の光をスクリーンＳＣＲに投射することで画像を表示する。
【００４５】
このプロジェクタ２０は、画像処理部３０（広義には画像処理装置）と、投射部１００（広義には画像表示部）とを含む。画像処理部３０は、他の輝度領域に影響を与えることなく表示画像の暗部や明部のディテールを表現できるように入力画像信号を補正し、補正後の画像信号を投射部１００に出力する。投射部１００は、画像処理部３０からの画像信号に基づいて変調した光をスクリーンＳＣＲに投射する。
【００４６】
図２に、図１の画像処理部３０において行われる階調補正処理の説明図を示す。図２では、階調補正処理中の各画像信号により表される画像の特性として、横軸に画像の水平方向の位置、縦軸に輝度レベルを模式的に表している。
【００４７】
入力画像ＩＭＧｉｎは、例えば左側が低輝度（低階調）で、右側が高輝度（高階調）の画像であり、輝度が低い領域においても微小な階調変化を有し、輝度が高い領域においても微小な階調変化を有する。信号抽出手段Ｌ１は、この入力画像ＩＭＧｉｎの画像信号の輝度成分から所与の空間周波数帯域の輝度成分の信号ＹＨを抽出する。図２では、信号抽出手段Ｌ１が、抽出対象の空間周波数帯域に対応して設定されたゲインが大きい空間周波数帯域の輝度成分の信号ＹＨを抽出している。
【００４８】
また、輝度ゲイン算出手段Ｇ１は、該入力画像の画像信号の輝度成分のレベルに対応したゲイン係数ｇ（輝度ゲイン係数。広義には輝度ゲイン。以下同様）を算出する。図２では、輝度ゲイン算出手段Ｇ１が、輝度成分のレベルが低い領域で大きくなり、輝度成分のレベルが高い領域でほぼ０となるゲイン係数ｇを算出する。
【００４９】
この結果、乗算器Ｍ１は、信号抽出手段Ｌ１によって抽出された信号ＹＨに輝度ゲイン算出手段Ｇ１によって算出されたゲイン係数ｇを掛け合わせた信号ｇＹＨを生成する。信号ｇＹＨが、入力画像信号の輝度成分の補正量に対応した信号であり、加算器Ａ１が、入力画像信号の輝度信号Ｙｉｎと信号ｇＹＨとを加算して、階調補正後の画像信号の輝度信号Ｙｏｕｔを出力する。
【００５０】
この際、実施形態１では、入力画像ＩＭＧｉｎの画像信号の輝度成分に含まれる輝度ノイズ量を考慮して、図示しない周波数ゲイン算出手段によってゲイン係数ｆ（周波数ゲイン係数。広義には周波数ゲイン。以下同様）を算出し、このゲイン係数ｆを、信号ｇＹＨに掛け合わせることで、暗部のディテールと輝度ノイズとを区別して、表示画像の暗部のディテールのみが強調されるようにしている。
【００５１】
図３に、図１の画像処理部３０の動作説明図を示す。図３では、３次元の座標系において、入力画像信号の輝度成分、該輝度成分の空間周波数、該輝度成分の高周波成分の信号ＹＨＰＦを模式的に表している。
【００５２】
図１の画像処理部３０は、画像信号の輝度成分の空間周波数を解析し、空間周波数帯域Ｆａｒ（所与の空間周波数帯域）のみにおいて画像信号の輝度成分の補正量を、画像信号の輝度成分の空間周波数の解析結果に応じて算出し、該補正量を用いて画像信号の輝度成分を補正する。より具体的には、画像処理部３０は、信号抽出手段Ｌ１によって抽出された画像信号の輝度成分の空間周波数帯域Ｆａｒにおいて、輝度ゲイン算出手段Ｇ１によって算出された入力画像信号の輝度信号Ｙｉｎの所与のレベル範囲Ｙａｒの信号（図３では、範囲Ｓａｒ）に対して、階調補正を行う。このとき、入力画像信号の輝度成分の高周波成分に応じて、階調の補正強度を異ならせる。例えば、輝度成分の高周波成分が多いとき、所望の信号成分が多く輝度ノイズが少ないと判断して補正強度を強くし、輝度成分の高周波成分が少ないとき、所望の信号成分が少なく輝度成分ノイズが多いと判断して、補正強度を弱くする。これにより、画像の輝度ノイズを強調してしまうことなく全体的な輝度の傾向を変化させずに、信号抽出手段Ｌ１によって抽出された空間周波数帯域Ｆａｒであって、輝度ゲイン算出手段Ｇ１によって算出された入力画像信号を構成する輝度信号Ｙｉｎの所与のレベル範囲Ｙａｒのみ、輝度成分を変化させることができるようになる。
【００５３】
信号抽出手段Ｌ１によって抽出される空間周波数帯域、輝度ゲイン算出手段Ｇ１によってゲイン係数ｇが算出される輝度成分のレベル範囲、輝度成分の高周波帯域や補正強度は、それぞれ指定可能であるため、指定した空間周波数帯域の指定した輝度成分のレベル範囲のみ、入力画像信号の輝度変化を、輝度ノイズ量に合わせて増幅させることができる。このため、例えば輝度ゲイン算出手段Ｇ１において、暗部である低輝度の輝度成分に対して輝度ゲイン係数を大きくすることで、他の階調の輝度レンジを縮めることなく暗部のディテールを表現できるようになる。
【００５４】
しかも、画面全体に対して一律の補正を行わないので、暗部と明部とが混在している場合であっても、例えば一律に暗部の輝度も上げたり、或いは一律に明部の輝度も下げたりすることもなく、暗部と明部の両方のディテールを表現できるようになる。例えば、図３に示す場合には、入力画像信号の輝度の中周波数帯域から高周波数帯域に対して補正するため、入力画像の全体的な明るさを変化させずに、ディテールのみを強調できるようになる。更に、画像の暗部のディテールと輝度ノイズとを区別することができるので、暗部のディテールと一緒に輝度ノイズを強調してしまう事態を回避できるようになる。
【００５５】
以下、このような階調補正を実現する実施形態１におけるプロジェクタ２０の構成例について詳細に説明する。以下では、画像信号が、輝度信号Ｙ及び色差信号Ｕ、Ｖにより構成される例について説明するが、本発明に係る画像信号は、これに限定されるものではない。
【００５６】
図４に、図１の画像処理部３０のハードウェア構成例のブロック図を示す。
【００５７】
画像処理部３０は、ラインメモリ３２、信号抽出回路としての多段フィルタ回路４０、輝度信号補正量算出回路（輝度成分補正量算出部）５０、輝度信号補正回路（輝度成分補正部）６０、高周波成分抽出回路や輝度ノイズ除去回路として機能する周波数解析回路（周波数解析部）７０を含む。更に、画像処理部３０は、ラインメモリ３４、色差ゲイン算出回路（色差成分補正量算出部）８０、色差信号補正回路（色差成分補正部）９０を含む。
【００５８】
ラインメモリ３２は、入力画像信号を構成する輝度信号Ｙ（入力画像信号の輝度成分）を格納する。ラインメモリ３２は、多段フィルタ回路４０で必要なライン数分だけ輝度信号Ｙを格納する。
【００５９】
多段フィルタ回路４０は、ラインメモリ３２に格納された輝度信号Ｙ（画像信号の輝度成分）から所与の空間周波数帯域の信号を抽出する。この多段フィルタ回路４０は、図２の信号抽出手段Ｌ１の機能を実現することができる。
【００６０】
周波数解析回路７０は、ラインメモリ３２に格納されている輝度信号の空間周波数を解析する。より具体的には、周波数解析回路７０は、輝度信号の高周波成分を抽出すると共に、ラインメモリ３２からの輝度信号から輝度ノイズを除去することができる。周波数解析回路７０によって抽出された輝度信号の高周波成分の絶対値である出力ｈｉｇｈＹは、周波数解析回路７０の解析結果として輝度信号補正量算出回路５０に供給される。周波数解析回路７０によって輝度ノイズが除去された輝度信号は、輝度信号ＮＲとして輝度信号補正回路６０に供給される。
【００６１】
輝度信号補正量算出回路５０は、多段フィルタ回路４０の出力と、ラインメモリ３２に格納されている輝度信号と、周波数解析回路７０の解析結果とに基づいて、輝度信号の補正量に対応する補正信号ＶＡを算出する。この輝度信号補正量算出回路５０は、出力ｈｉｇｈＹに応じて、多段フィルタ回路４０によって抽出された所与の空間周波数帯域の輝度信号のうち所与の輝度レベル範囲の輝度信号に対する補正量を算出することができる。
【００６２】
ここで、出力ｈｉｇｈＹは、入力画像の暗部のディテールや輝度ノイズに対応した信号である。即ち、輝度信号補正量算出回路５０は、出力ｈｉｇｈＹのレベルに応じて、輝度ノイズが小さいと判断されるときには補正強度が強くなるように補正量を生成し、輝度ノイズが大きいと判断されるときには補正強度が弱くなるように補正量を生成することができる。この輝度信号補正量算出回路５０は、図２の輝度ゲイン算出手段Ｇ１や図示しない周波数ゲイン算出手段の機能を実現することができる。
【００６３】
輝度信号補正回路６０は、輝度信号補正量算出回路５０によって算出された補正信号ＶＡを用いて、周波数解析回路７０によって輝度ノイズが除去された輝度信号ＮＲを補正し、補正後の輝度信号Ｙ１として出力する。
【００６４】
また、画像処理部３０は、輝度信号の補正と連動して色差信号を補正することができるようになっている。このため、ラインメモリ３４には、ラインメモリ３２に輝度信号Ｙが格納されるタイミングに同期して、該輝度信号に対応した色差信号Ｕ、Ｖ（入力画像信号の色差成分）が格納される。
【００６５】
色差ゲイン算出回路８０は、輝度信号補正回路６０による補正前後の輝度信号Ｙ、Ｙ１に基づいて、例えばＸＹＺ表色系（CIE 1931 standard colorimetric system）のｘｙ色度の値が変化しないように、色差信号Ｕ、Ｖの補正量を算出する。ここでは、色差ゲイン算出回路８０は、色差信号の補正量に対応したゲイン係数を算出する。
【００６６】
色差信号補正回路９０は、色差ゲイン算出回路８０によって算出された補正量を用いて、ラインメモリ３４に格納された色差信号Ｕ、Ｖを補正し、補正後の色差信号Ｕ１、Ｖ１として出力する。これにより、色差信号補正回路９０は、輝度信号補正回路６０による補正前後においてｘｙ色度の値が変化しないように色差信号Ｕ、Ｖを補正することができる。
【００６７】
このように画像処理部３０は、所与の空間周波数帯域において所与の輝度レベルの輝度信号に対してのみ、入力画像の輝度信号の空間周波数の解析結果に応じて輝度信号を補正することができる。また、画像処理部３０は、該輝度信号の補正と連動して、輝度信号の補正量に応じて色差信号を補正することができる。
【００６８】
次に、画像処理部３０を構成する各ブロックについて説明する。
【００６９】
図５に、図４の周波数解析回路７０の構成例のブロック図を示す。図５において、図４と同一部分には同一符号を付し、適宜説明を省略する。
【００７０】
周波数解析回路７０は、高周波成分抽出回路（高周波成分抽出部）７２と、輝度ノイズ除去回路（輝度ノイズ除去部）７４とを含む。高周波成分抽出回路７２は、ラインメモリ３２に蓄積された輝度信号から、画像の暗部のディテールと輝度ノイズが含まれる所与の高周波成分を抽出して、その絶対値を出力ｈｉｇｈＹとして出力する。輝度ノイズ除去回路７４は、ラインメモリ３２に蓄積された輝度信号から、輝度ノイズを除去した輝度信号ＮＲを生成する。ここで、輝度ノイズ除去回路７４は、高周波成分抽出回路７２によって抽出された高周波成分を用いて、輝度信号ＮＲを生成する。
【００７１】
高周波成分抽出回路７２は、ＨＰＦ（High Pass Filter)回路７３を含む。ＨＰＦ回路７３には、ラインメモリ３２から輝度信号が入力され、該輝度信号の高周波成分の絶対値を出力ｈｉｇｈＹとして、輝度信号補正量算出回路５０や輝度ノイズ除去回路７４に出力する。このようなＨＰＦ回路７３は、公知のＨＰＦ処理により、次式に従って出力ｈｉｇｈＹを、高周波成分の絶対値として出力する。
【数１】
2010118890.tif 000003
【００７２】
ここで、ｈｉｇｈＹはＨＰＦ回路７３の出力、Ｙは入力輝度信号、（ｘ，ｙ）は対象画素の座標であり、ａＨＰＦはフィルタ係数、（ｕ，ｖ）は対象画素を中心とした相対座標系で上記の範囲をとり、ｓはフィルタのサイズを表す。ｓは、例えば「３」とすることができるが、「３」以外であってもよい。
【００７３】
輝度ノイズ除去回路７４は、ＬＰＦ（Low Pass Filter）回路７５、重み付け算出回路７６、乗算器７７、７８、加算器７９を含む。ＬＰＦ回路７５には、ラインメモリ３２から輝度信号が入力され、該輝度信号の低周波成分を通す。このようなＬＰＦ回路７５は、公知のＬＰＦ処理により、次式に従って出力ｌｏｗＹを出力する。
【数２】
2010118890.tif 000004
【００７４】
ここで、ｌｏｗＹはＬＰＦ回路７５の出力、Ｙは入力輝度信号、（ｘ，ｙ）は対象画素の座標であり、ａＬＰＦはフィルタ係数、（ｕ，ｖ）は対象画素を中心とした相対座標系で上記の範囲をとり、ｓはフィルタのサイズを表す。ｓは、例えば「５」とすることができるが、「５」以外であってもよく、ＨＰＦ回路７３のフィルタサイズより大きいことが望ましい。
【００７５】
図６に、図５のＨＰＦ回路７３、ＬＰＦ回路７５のフィルタ特性の一例を示す。図６は、横軸に輝度信号の周波数、縦軸にゲインを表す。
【００７６】
ＨＰＦ回路７３の出力は、輝度信号の空間周波数が低い領域では小さくなり、輝度信号の空間周波数が高い領域では大きくなる（図６のＴ１）。このＨＰＦ回路７３のカットオフ周波数は、ωＨＰＦである。一方、ＬＰＦ回路７５の出力は、輝度信号の空間周波数が低い領域では大きくなり、輝度信号の空間周波数が高い領域では小さくなる（図６のＴ２）。このＬＰＦ回路７５のカットオフ周波数は、ωＬＰＦである。ここで、ＨＰＦ回路７３のカットオフ周波数とＬＰＦ回路７５のカットオフ周波数とは等しいことが望ましい（ωＨＰＦ＝ωＬＰＦ＝ωｃｕｔ）。これにより、元の輝度信号の情報を欠落させることなく、輝度信号を補正することができるようになる。
【００７７】
図５において、重み付け算出回路７６は、高周波成分抽出回路７２からの出力に応じて、重み付け量を算出する。重み付け算出回路７６は、ＨＰＦ回路７３の出力ｈｉｇｈＹに対応した重み付け量をルックアップテーブル（Look Up Table：以下、ＬＵＴと略す）形式で保存しており、ＨＰＦ回路７３からの出力に対応した値を読み出したり、ＨＰＦ回路７３からの出力に対応した複数の値を補間して出力したりできるようになっている。
【００７８】
図７に、重み付け算出回路７６の動作説明図を示す。
【００７９】
重み付け算出回路７６は、ＨＰＦ回路７３の出力に応じて、乗算器７７に対して重み付け係数αＬＰＦを出力すると共に、乗算器７８に対して重み付け係数αＨＰＦを出力する。より具体的には、重み付け算出回路７６は、ＨＰＦ回路７３からの出力に対応した重み付け係数αＨＰＦ、αＬＰＦを予めＬＵＴ形式により記憶されている。すなわち、重み付け算出回路７６には、予めＨＰＦ回路７３の出力に対応した重み付け係数（αＨＰＦａ，αＬＰＦａ）、（αＨＰＦｂ，αＬＰＦｂ）、（αＨＰＦｃ，αＬＰＦｃ）、・・・が記憶されており、ＨＰＦ回路７３の出力ｈｉｇｈＹが入力されたとき、これに対応した重み付け係数αＨＰＦ、αＬＰＦを出力するようになっている。
【００８０】
図８に、重み付け算出回路７６が出力する重み付け係数αＨＰＦ、αＬＰＦの説明図を示す。図８は、横軸にＨＰＦ回路７３の出力、縦軸に重み付け算出回路７６が出力する重み付け量としての重み付け係数αＨＰＦ、αＬＰＦを表す。
【００８１】
重み付け算出回路７６には、ＨＰＦ回路７３の出力ｈｉｇｈＹが大きくなるに従って、値が大きくなる重み付け係数αＨＰＦを記憶する（図８のＴ１０）と共に、ＨＰＦ回路７３の出力ｈｉｇｈＹが大きくなるに従って、値が小さくなる重み付け係数αＬＰＦを記憶する（図８のＴ１１）。なお、図８では、ＨＰＦ回路７３の出力ｈｉｇｈＹに応じて重み付け係数αＨＰＦ、αＬＰＦがリニアに増加又は減少しているが、所与の関数に従って重み付け係数αＨＰＦ、αＬＰＦが増加又は減少していてもよい。
【００８２】
図５において、乗算器７７は、ＬＰＦ回路７５の出力と重み付け算出回路７６からの重み付け係数αＬＰＦとの乗算結果を出力し、加算器７９に出力する。乗算器７８は、ＨＰＦ回路７３の出力と重み付け算出回路７６からの重み付け係数αＨＰＦとの乗算結果を出力し、加算器７９に出力する。加算器７９は、乗算器７７の乗算結果と乗算器７８の乗算結果とを加算し、輝度ノイズを除去した後の輝度信号ＮＲとして出力する。即ち、輝度ノイズ除去回路７４は、次の式に従って輝度信号ＮＲを出力する。
【数３】
2010118890.tif 000005
【００８３】
上式において、ｈｉｇｈＹはＨＰＦ回路７３の出力であり、ｌｏｗＹはＬＰＦ回路７５の出力である。
【００８４】
重み付け算出回路７６が、図８に示したように重み付け係数αＨＰＦ、αＬＰＦを出力するため、輝度信号ＮＲは、高周波の輝度ノイズが除去された信号となる。即ち、ＨＰＦ回路７３の出力ｈｉｇｈＹが小さい領域は、主として低周波数帯域に分布する輝度信号に対応しており、重み付け係数αＨＰＦを小さくし、重み付け係数αＬＰＦを大きくすることで、輝度ノイズを強調させることなく、所望の輝度信号ＮＲを得ることができる。一方、ＨＰＦ回路７３の出力ｈｉｇｈＹが大きい領域は、主として高周波数帯域に分布する輝度信号に対応しており、重み付け係数αＨＰＦを大きくし、重み付け係数αＬＰＦを小さくすることで、エッジ情報を維持又は強調させて、所望の輝度信号ＮＲを得ることができる。
【００８５】
なお、図５では、周波数解析回路７０が、高周波成分抽出回路７２及び輝度ノイズ除去回路７４を含む構成を有しているものとして説明したが、周波数解析回路７０が高周波成分抽出回路７２のみを含む構成を有し、ラインメモリ３２に蓄積された輝度信号がそのまま輝度信号ＮＲとして輝度信号補正回路６０に供給されてもよい。
【００８６】
図９に、図４の多段フィルタ回路４０の構成例のブロック図を示す。図９において、図４と同一部分には同一符号を付し、適宜説明を省略する。
【００８７】
多段フィルタ回路４０は、互いにフィルタサイズが異なる第１〜第３のフィルタ回路４２、４４、４６を含む。図９では、多段フィルタ回路４０が、３種類のフィルタ回路でフィルタ処理を行う例を説明するが、フィルタ回路の数に本発明が限定されるものではない。
【００８８】
多段フィルタ回路４０は、それぞれが抽出する信号の周波数帯域が異なる複数のフィルタ回路を有し、各フィルタ回路は、画像の水平方向及び垂直方向に並ぶ画素の画素値と、フィルタ係数行列との畳み込み演算結果を出力する。
【００８９】
第１のフィルタ回路４２は、次の式に従ってフィルタ処理された結果を出力することができる。
【数４】
2010118890.tif 000006
【００９０】
上式において、第１のフィルタ回路４２の出力をＦＯ１、座標（ｘ，ｙ）の輝度信号をＹ（ｘ，ｙ）、フィルタ係数をａ、（ｉ，ｊ）は対象画素を中心とした相対座標で上式の範囲をとり、フィルタサイズをｓとする。各フィルタ回路には、フィルタサイズに対応したライン数（垂直走査ライン数）の輝度信号が入力される。
【００９１】
上式では、第１のフィルタ回路４２の出力について示したが、第２及び第３のフィルタ回路４４、４６も、上式と同様のフィルタ処理結果を出力することができる（出力ＦＯ２、ＦＯ３）。
【００９２】
図９では、第１のフィルタ回路４２のフィルタサイズを「３」、第２のフィルタ回路４４のフィルタサイズを「５」、第３のフィルタ回路４６のフィルタサイズを「７」とするが、フィルタサイズに本発明が限定されるものではない。
【００９３】
図１０に、図４の輝度信号補正量算出回路５０の構成例のブロック図を示す。図１０において、図４と同一部分には同一符号を付し、適宜説明を省略する。
図１１に、図１０の輝度ゲイン算出回路の動作説明図を示す。
図１２に、図１０の周波数ゲイン算出回路の動作説明図を示す。
【００９４】
輝度信号補正量算出回路５０は、重み付け係数記憶回路５２、乗算器５３１〜５３３、加算器５４、乗算器５５、輝度ゲイン算出回路（輝度ゲイン算出部）５６、周波数ゲイン算出回路（周波数ゲイン算出部）５８、乗算器５９を含む。
【００９５】
重み付け係数記憶回路５２は、予め決められた定数値である重み付け係数ｇ１〜ｇ３を記憶する。重み付け係数ｇ１は、第１のフィルタ回路４２の出力ＦＯ１が入力される乗算器５３１に入力される。乗算器５３１は、第１のフィルタ回路４２の出力ＦＯ１に重み付け係数ｇ１を乗算した結果を加算器５４に出力する。
【００９６】
重み付け係数ｇ２は、第２のフィルタ回路４４の出力ＦＯ２が入力される乗算器５３２に入力される。乗算器５３２は、第２のフィルタ回路４４の出力ＦＯ２に重み付け係数ｇ２を乗算した結果を加算器５４に出力する。
【００９７】
重み付け係数ｇ３は、第３のフィルタ回路４６の出力ＦＯ３が入力される乗算器５３３に入力される。乗算器５３３は、第３のフィルタ回路４６の出力ＦＯ３に重み付け係数ｇ３を乗算した結果を加算器５４に出力する。
【００９８】
加算器５４は、乗算器５３１〜５３３の各乗算結果を加算し、その加算結果を乗算器５５に出力する。乗算器５５には、輝度ゲイン算出回路５６によって算出された輝度ゲイン係数ｈが入力されている。
【００９９】
輝度ゲイン算出回路５６には、入力画像信号を構成する輝度信号が入力される。そして、輝度ゲイン算出回路５６は、図１１に示すように、輝度信号のレベル（画像信号の輝度成分のレベル）に対応した輝度ゲイン係数ｈ（輝度ゲイン）を算出する。
【０１００】
このような輝度ゲイン算出回路５６は、入力を輝度信号（画像信号の輝度成分）とし、出力を輝度ゲイン係数ｈとするＬＵＴにより実現される。そのため、輝度ゲイン算出回路５６には、予め入力画像信号を構成する輝度信号（入力輝度信号）に対応した輝度ゲイン係数ｈａ、ｈｂ、ｈｃ、・・・が記憶されており、入力画像信号を構成する輝度信号が入力されたとき、該輝度信号に対応した輝度ゲイン係数を出力するようになっている。この輝度ゲイン算出回路５６では、所望の輝度信号に対応した輝度ゲイン係数を指定できるので、指定した階調に対してのみ補正量を生成することができる。
【０１０１】
乗算器５５は、加算器５４の加算結果に輝度ゲイン算出回路５６からの輝度ゲイン係数ｈを乗算し、乗算結果を乗算器５９に出力する。乗算器５９には、周波数ゲイン算出回路５８によって算出された周波数ゲイン係数ｆが入力されている。
【０１０２】
周波数ゲイン算出回路５８には、図５のＨＰＦ回路７３からの出力ｈｉｇｈＹが入力される。そして、周波数ゲイン算出回路５８は、図１２に示すように、ＨＰＦ回路７３の出力ｈｉｇｈＹのレベルに対応した周波数ゲイン係数ｆ（周波数ゲイン）を算出する。
【０１０３】
このような周波数ゲイン算出回路５８は、入力をＨＰＦ回路７３の出力ｈｉｇｈＹとし、出力を周波数ゲイン係数ｆとするＬＵＴにより実現される。そのため、周波数ゲイン算出回路５８には、予め出力ｈｉｇｈＹに対応した周波数ゲイン係数ｆａ、ｆｂ、ｆｃ、・・・が記憶されており、ＨＰＦ回路７３からの出力ｈｉｇｈＹが入力されたとき、出力ｈｉｇｈＹに対応した周波数ゲイン係数を出力するようになっている。この周波数ゲイン算出回路５８では、所望の出力ｈｉｇｈＹに対応した周波数ゲイン係数を指定できるので、指定した高周波数帯域に対してのみ補正量を生成することができる。
【０１０４】
乗算器５９は、乗算器５５の乗算結果に周波数ゲイン算出回路５８からの周波数ゲイン係数ｆを乗算することで、輝度信号の補正量に対応した補正信号ＶＡを出力する。この補正信号ＶＡは、輝度信号補正回路６０に入力される。
【０１０５】
このように、輝度信号補正量算出回路５０は、多段フィルタ回路４０（広義には信号抽出回路）によって抽出された所与の空間周波数帯域の信号と、輝度ゲイン算出回路５６によって算出された輝度ゲイン係数と、周波数ゲイン算出回路５８によって算出された周波数ゲイン係数とに基づいて、輝度信号の補正量を算出することができる。そして、輝度信号補正回路６０は、例えば入力画像信号を構成する輝度信号又は輝度ノイズ成分が除去された輝度信号に、輝度信号補正量算出回路５０からの補正信号ＶＡを加算することで、補正後の輝度信号Ｙ１を出力する。これにより、輝度ノイズが少ない場合にのみ補正を行うことができるので、補正によって輝度ノイズが増幅されるのを防ぐことができるようになる。
【０１０６】
また、輝度信号の補正と連動した、輝度信号の補正量に応じた色差信号の補正処理は、次のような構成で実現できる。
【０１０７】
図１３に、図４の色差ゲイン算出回路８０の構成例のブロック図を示す。図１３において、図４と同一部分には同一符号を付し、適宜説明を省略する。
【０１０８】
色差ゲイン算出回路８０は、色差信号調整回路８２と、調整パラメータ記憶部８４とを含む。色差信号調整回路８２には、入力画像信号を構成する輝度信号（入力画像信号の輝度成分）Ｙｉｎと、輝度信号Ｙｉｎを上記のように補正した輝度信号Ｙｏｕｔと、調整パラメータ記憶部８４に記憶された調整パラメータｂとが入力される。そして、色差信号調整回路８２は、輝度信号Ｙｉｎ、Ｙｏｕｔ、調整パラメータｂを用いて、色差ゲイン係数（色差ゲイン）ｇｃを算出する。
【０１０９】
より具体的には、色差ゲイン算出回路８０は、次式に従って色差ゲイン係数ｇｃを算出する。
【数５】
2010118890.tif 000007
【０１１０】
上式において、調整パラメータｂは、色度を調整するためのパラメータである。調整パラメータｂが「０」のとき、入力画像信号を構成する色差信号（色差成分）は補正されることなくそのまま出力される。一方、調整パラメータｂが「１」のとき、入力画像信号の輝度信号の補正前後において色度が変化しないように、輝度信号の補正量に応じて色差信号も補正される。調整パラメータｂは、「０」より大きく「１」より小さい値とすることもできるが、実施形態１では、調整パラメータｂが「１」であることが望ましい。
【０１１１】
図１４に、図１３の色差ゲイン算出回路８０の動作例の説明図を示す。図１４では、調整パラメータｂが「１」であるものとする。
【０１１２】
縦軸に輝度信号、横軸に色差信号を示す色空間を表すと、ＲＧＢのＲ成分とＧ成分及びＢ成分とは図１４に示す方向に定義される。ここで、領域ＤＩＳＰは、表示機器で再現可能な色域を表す。このとき、入力画像信号の色が座標Ｐ０のとき、座標Ｐ０を通る等値線ＳＶ上では、ｘｙ色度図の値が等しい。
【０１１３】
ところが、入力画像信号を構成する輝度信号を上記のように補正すると、座標Ｐ１に移動してしまう。そのため、等値線ＳＶ上に座標Ｐ１が存在しなくなり、輝度信号を補正した後の色の傾向が変化してしまう。
【０１１４】
そこで、色差ゲイン算出回路８０では、座標Ｐ０の入力画像信号の色を等値線ＳＶ上の座標Ｐ２に変換するように輝度信号の補正量に応じて色差信号を補正するために、色差ゲイン係数ｇｃを算出する。これにより、輝度信号を補正したとしても、補正後の輝度レベルを変えることなく、画面全体の色の傾向を維持させることができる。従って、補正前後で各画素の色度が変化することなく、見た目に自然な補正を実現できるようになる。
【０１１５】
こうして算出された色差ゲイン係数ｇｃは、色差信号補正回路９０に入力される。色差信号補正回路９０は、色差ゲイン係数ｇｃをラインメモリ３４からの色差信号Ｕに乗算すると共に、該色差ゲイン係数ｇｃをラインメモリ３４からの色差信号Ｖに乗算する。こうして補正された色差信号Ｕ、Ｖは、投射部１００に入力される。
【０１１６】
このように、画像処理部３０は、輝度信号のみならず、該輝度信号に連動して色差信号を補正することができる。これにより、輝度信号の補正量に応じて各画素の色度が変化して画面の全体的な色の傾向が変化するという事態を回避でき、画像のディテールを表現する場合に画面全体の色の傾向を維持できるようになる。
【０１１７】
実施形態１における画像処理部３０の処理は、ソフトウェア処理によって実現することもできる。この場合、画像処理部３０は、中央演算処理装置（Central Processing Unit：以下、ＣＰＵと略す）、読み出し専用メモリ（Read Only Memory：以下、ＲＯＭと略す）又はランダムアクセスメモリ（Random Access Memory：以下、ＲＡＭと略す）を有し、ＲＯＭ又はＲＡＭに格納されたプログラムを読み込んだＣＰＵが、該プログラムに対応した処理を実行することで乗算器や加算器等のハードウェアを制御して、上記の輝度成分及び色差成分の補正処理を行う。
【０１１８】
図１５に、実施形態１における画像処理部３０の輝度信号の補正処理例のフロー図を示す。図１５の処理をソフトウェアで実現する場合、画像処理部３０が内蔵するＲＯＭ又はＲＡＭに図１５に示す処理を実現するプログラムが格納される。
【０１１９】
まず、画像処理部３０は、入力輝度信号蓄積ステップとして、入力画像信号を構成する輝度信号（入力輝度信号）を蓄積する（ステップＳ１０）。この場合、輝度信号は、ラインメモリ３２、又はラインメモリ３２の機能を実現するＲＡＭに格納される。
【０１２０】
次に、画像処理部３０は、信号抽出ステップとして、ラインメモリ３２等に蓄積された輝度信号から特定の空間周波数帯域の輝度信号を抽出する（ステップＳ１２）。例えば、多段フィルタ回路４０により所与の空間周波数帯域の輝度信号を抽出する。或いは、ソフトウェア処理で実現する場合には、ＣＰＵが多段フィルタ回路４０の機能を実現する乗算器や加算器を制御して上記の空間周波数帯域の輝度信号を抽出する。
【０１２１】
続いて、画像処理部３０は、周波数解析ステップとして、ステップＳ１２で抽出された特定の空間周波数帯域の輝度信号の空間周波数を解析する（ステップＳ１４、ステップＳ１６）。より具体的には、ステップＳ１４では、高周波成分抽出ステップとして、ステップＳ１２で抽出された特定の空間周波数帯域のうち所与の高周波成分の輝度信号が抽出される（ステップＳ１４）。そして、ステップＳ１６では、輝度ノイズ除去ステップとして、ラインメモリ等３２に蓄積された輝度信号から輝度ノイズ成分が除去される（ステップＳ１６）。
【０１２２】
そして、画像処理部３０は、輝度成分補正量算出ステップとして、輝度信号の補正量を算出する（ステップＳ１８、ステップＳ２０、ステップＳ２２）。より具体的には、ステップＳ１８において、輝度ゲイン算出ステップとして、ステップＳ１２で抽出された輝度信号に対して重み付けを行い、入力画像信号を構成する輝度信号の輝度レベルに応じた係数で乗算される（ステップＳ１８）。そして、ステップＳ２０において、周波数ゲイン算出ステップとして、ステップＳ１４で抽出された高周波成分の輝度信号（ＨＰＦ回路７３の出力ｈｉｇｈＹ）に応じた係数で、ステップＳ１８で乗算された輝度信号に乗算される（ステップＳ２０）。この結果、ステップＳ２２では、輝度信号の補正量に対応した補正信号ＶＡが生成される（ステップＳ２２）。或いは、ソフトウェア処理で実現する場合には、ＣＰＵが、信号抽出処理により抽出した輝度信号に対して重み付けを行った後に、入力画像信号を構成する輝度信号の輝度レベルに応じた係数と、ステップＳ１４で抽出された高周波成分の輝度信号（ＨＰＦ回路７３の出力ｈｉｇｈＹ）に応じた係数とを用いて乗算した結果を、輝度信号の補正量に対応した補正信号ＶＡとして生成する。このように、ステップＳ２０では、ステップＳ１２において抽出された空間周波数帯域の信号と、ステップＳ１８において算出された輝度ゲインと、ステップＳ２２において算出された周波数ゲインとに基づいて、輝度成分の補正量が算出される。
【０１２３】
そして、画像処理部３０は、輝度成分補正ステップとして、ステップＳ２２で算出された補正量を用いて、ステップＳ１６において輝度ノイズが除去された輝度信号を補正し（ステップＳ２４）、補正後の輝度信号を出力して（ステップＳ２６）、一連の処理を終了する（エンド）。即ち、ステップＳ２４では、輝度信号補正回路６０が、ステップＳ１６において輝度ノイズが除去された輝度信号に、補正信号ＶＡを加算して、補正後の輝度信号を生成する。或いは、ソフトウェア処理で実現する場合には、ＣＰＵが、ステップＳ１６において輝度ノイズが除去された輝度信号に、補正信号ＶＡを加算して、補正後の輝度信号を生成する。
【０１２４】
なお、実施形態１では、図１５のステップＳ１４とステップＳ１６の順序を入れ替えたり、図１５のステップＳ１８とステップＳ２０の順序を入れ替えたりしてもよく、図１５に示す処理順序に限定されるものではない。
【０１２５】
図１６に、実施形態１における画像処理部３０の色差信号の補正処理例のフロー図を示す。図１６の処理をソフトウェアで実現する場合、画像処理部３０が内蔵するＲＯＭ又はＲＡＭに図１６に示す処理を実現するプログラムが格納される。
【０１２６】
まず、画像処理部３０は、入力色差信号蓄積ステップとして、入力画像信号を構成する色差信号（入力色差信号）を蓄積する（ステップＳ４０）。この場合、色差信号は、ラインメモリ３２、又はラインメモリ３２の機能を実現するＲＡＭに格納される。
【０１２７】
次に、画像処理部３０は、色差成分補正量算出ステップとして、図１５の輝度信号の補正処理における補正前後の輝度信号に応じて、色差信号を調整する色差ゲイン係数を算出する（ステップＳ４２）。例えば、色差信号調整回路８２が、補正前後の輝度信号と予め指定された調整パラメータとに対応した色差ゲイン係数ｇｃを出力する。或いは、ソフトウェア処理で実現する場合には、ＣＰＵが、予め決められた調整パラメータｂを用いて上記の（５）式に従って色差ゲイン係数ｇｃを出力する。このように、ステップＳ４２では、輝度成分補正ステップにおける補正前後においてｘｙ色度の値が変化しないように画像信号の色差成分の補正量が算出される。
【０１２８】
続いて、画像処理部３０は、色差成分補正ステップとして、ステップＳ４２で算出された色差成分の補正量（色差ゲイン係数）を用いて、入力画像信号を構成する色差信号を補正し（ステップＳ４４）、補正後の色差信号を出力して（ステップＳ４６）、一連の処理を終了する（エンド）。即ち、ステップＳ４４では、色差信号補正回路９０が、入力画像信号を構成する色差信号に、ステップＳ４２で算出された色差ゲイン係数を乗算して、補正後の色差信号を生成する。或いは、ソフトウェア処理で実現する場合には、ＣＰＵが、入力画像信号を構成する色差信号に、上記の色差ゲイン係数を乗算して補正後の色差信号を生成する。このように、ステップＳ４４では、輝度成分補正ステップにおける補正前後においてｘｙ色度の値が変化しないように画像信号の色差成分が補正される。
【０１２９】
画像処理部３０によって補正された輝度信号Ｙ１、色差信号Ｕ１、Ｖ１は、投射部１００に出力される。投射部１００は、輝度信号Ｙ１及び色差信号Ｕ１、Ｖ１に基づいて、光源からの光を変調し、変調後の光をスクリーンＳＣＲに投射することができる。
【０１３０】
図１７に、図１の投射部１００の構成例の図を示す。図１７では、実施形態１における投射部１００が、いわゆる３板式の液晶プロジェクタにより構成されるものとして説明するが、本発明に係る画像表示装置の投射部がいわゆる３板式の液晶プロジェクタにより構成されるものに限定されるものではない。即ち、以下では、１画素がＲ成分のサブ画素、Ｇ成分のサブ画素、及びＢ成分のサブ画素により構成されるものとして説明するが、１画素を構成するサブ画素数（色成分数）に限定されるものではない。
【０１３１】
また、図１７では、画像処理部３０から入力される輝度信号Ｙ１、色差信号Ｕ１、Ｖ１が、ＲＧＢの各色成分の画像信号に変換された後、色成分毎に光源からの光を変調するものとする。この場合、ＲＧＢ信号への変換回路は、画像処理部３０が備えていてもよいし、投射部１００が備えていてもよい。
【０１３２】
実施形態１における投射部１００は、光源１１０、インテグレータレンズ１１２、１１４、偏光変換素子１１６、重畳レンズ１１８、Ｒ用ダイクロイックミラー１２０Ｒ、Ｇ用ダイクロイックミラー１２０Ｇ、反射ミラー１２２、Ｒ用フィールドレンズ１２４Ｒ、Ｇ用フィールドレンズ１２４Ｇ、Ｒ用液晶パネル１３０Ｒ（第１の光変調素子）、Ｇ用液晶パネル１３０Ｇ（第２の光変調素子）、Ｂ用液晶パネル１３０Ｂ（第３の光変調素子）、リレー光学系１４０、クロスダイクロイックプリズム１６０、投射レンズ１７０を含む。Ｒ用液晶パネル１３０Ｒ、Ｇ用液晶パネル１３０Ｇ及びＢ用液晶パネル１３０Ｂとして用いられる液晶パネルは、透過型の液晶表示装置である。リレー光学系１４０は、リレーレンズ１４２、１４４、１４６、反射ミラー１４８、１５０を含む。
【０１３３】
光源１１０は、例えば超高圧水銀ランプにより構成され、少なくともＲ成分の光、Ｇ成分の光、Ｂ成分の光を含む光を射出する。インテグレータレンズ１１２は、光源１１０からの光を複数の部分光に分割するための複数の小レンズを有する。インテグレータレンズ１１４は、インテグレータレンズ１１２の複数の小レンズに対応する複数の小レンズを有する。重畳レンズ１１８は、インテグレータレンズ１１２の複数の小レンズから射出される部分光を液晶パネル上で重畳する。
【０１３４】
また偏光変換素子１１６は、偏光ビームスプリッタアレイとλ／２板とを有し、光源１１０からの光を略一種類の偏光光に変換する。偏光ビームスプリッタアレイは、インテグレータレンズ１１２により分割された部分光をｐ偏光とｓ偏光に分離する偏光分離膜と、偏光分離膜からの光の向きを変える反射膜とを、交互に配列した構造を有する。偏光分離膜で分離された２種類の偏光光は、λ／２板によって偏光方向が揃えられる。この偏光変換素子１１６によって略一種類の偏光光に変換された光が、重畳レンズ１１８に照射される。
【０１３５】
重畳レンズ１１８からの光は、Ｒ用ダイクロイックミラー１２０Ｒに入射される。Ｒ用ダイクロイックミラー１２０Ｒは、Ｒ成分の光を反射して、Ｇ成分及びＢ成分の光を透過させる機能を有する。Ｒ用ダイクロイックミラー１２０Ｒを透過した光は、Ｇ用ダイクロイックミラー１２０Ｇに照射され、Ｒ用ダイクロイックミラー１２０Ｒにより反射した光は反射ミラー１２２により反射されてＲ用フィールドレンズ１２４Ｒに導かれる。
【０１３６】
Ｇ用ダイクロイックミラー１２０Ｇは、Ｇ成分の光を反射して、Ｂ成分の光を透過させる機能を有する。Ｇ用ダイクロイックミラー１２０Ｇを透過した光は、リレー光学系１４０に入射され、Ｇ用ダイクロイックミラー１２０Ｇにより反射した光はＧ用フィールドレンズ１２４Ｇに導かれる。
【０１３７】
リレー光学系１４０では、Ｇ用ダイクロイックミラー１２０Ｇを透過したＢ成分の光の光路長と他のＲ成分及びＧ成分の光の光路長との違いをできるだけ小さくするために、リレーレンズ１４２、１４４、１４６を用いて光路長の違いを補正する。リレーレンズ１４２を透過した光は、反射ミラー１４８によりリレーレンズ１４４に導かれる。リレーレンズ１４４を透過した光は、反射ミラー１５０によりリレーレンズ１４６に導かれる。リレーレンズ１４６を透過した光は、Ｂ用液晶パネル１３０Ｂに照射される。
【０１３８】
Ｒ用フィールドレンズ１２４Ｒに照射された光は、平行光に変換されてＲ用液晶パネル１３０Ｒに入射される。Ｒ用液晶パネル１３０Ｒは、光変調素子（光変調部）として機能し、Ｒ用画像信号に基づいて透過率（通過率、変調率）が変化するようになっている。従って、Ｒ用液晶パネル１３０Ｒに入射された光（第１の色成分の光）は、Ｒ用画像信号に基づいて変調され、変調後の光がクロスダイクロイックプリズム１６０に入射される。
【０１３９】
Ｇ用フィールドレンズ１２４Ｇに照射された光は、平行光に変換されてＧ用液晶パネル１３０Ｇに入射される。Ｇ用液晶パネル１３０Ｇは、光変調素子（光変調部）として機能し、Ｇ用画像信号に基づいて透過率（通過率、変調率）が変化するようになっている。従って、Ｇ用液晶パネル１３０Ｇに入射された光（第２の色成分の光）は、Ｇ用画像信号に基づいて変調され、変調後の光がクロスダイクロイックプリズム１６０に入射される。
【０１４０】
リレーレンズ１４２、１４４、１４６で平行光に変換された光が照射されるＢ用液晶パネル１３０Ｂは、光変調素子（光変調部）として機能し、Ｂ用画像信号に基づいて透過率（通過率、変調率）が変化するようになっている。従って、Ｂ用液晶パネル１３０Ｂに入射された光（第３の色成分の光）は、Ｂ用画像信号に基づいて変調され、変調後の光がクロスダイクロイックプリズム１６０に入射される。
【０１４１】
Ｒ用液晶パネル１３０Ｒ、Ｇ用液晶パネル１３０Ｇ、Ｂ用液晶パネル１３０Ｂは、それぞれ同様の構成を有している。各液晶パネルは、電気光学物質である液晶を一対の透明なガラス基板に密閉封入したものであり、例えばポリシリコン薄膜トランジスタをスイッチング素子として、各サブ画素の画像信号に対応して各色光の通過率を変調する。
【０１４２】
実施形態１では、１画素を構成する色成分毎に光変調素子としての液晶パネルが設けられ、各液晶パネルの透過率がサブ画素に対応した画像信号により制御される。即ち、Ｒ成分のサブ画素用の画像信号が、Ｒ用液晶パネル１３０Ｒの透過率（通過率、変調率）の制御に用いられ、Ｇ成分のサブ画素用の画像信号が、Ｇ用液晶パネル１３０Ｇの透過率の制御に用いられ、Ｂ成分のサブ画素用の画像信号が、Ｂ用液晶パネル１３０Ｂの透過率の制御に用いられる。
【０１４３】
クロスダイクロイックプリズム１６０は、Ｒ用液晶パネル１３０Ｒ、Ｇ用液晶パネル１３０Ｇ及びＢ用液晶パネル１３０Ｂからの入射光を合成した合成光を出射光として出力する機能を有する。投射レンズ１７０は、出力画像をスクリーンＳＣＲ上に拡大して結像させるレンズである。
【０１４４】
実施形態１における階調補正処理を行った後に、画像表示ステップとしてこのような投射部１００を制御して、上記の階調補正処理において補正された画像信号に基づいて画像を表示することで、他の輝度領域に影響を与えることなく画像のディテールの表現を改善する画像表示方法を提供できる。
【０１４５】
以上のように、実施形態１によれば、輝度信号のみならず、該輝度信号に連動して色差信号を補正する。このとき、輝度信号については、所与の空間周波数帯域において所与の輝度レベル範囲のみ補正される。
【０１４６】
〔実施形態２〕
実施形態１では、多段フィルタ回路４０を構成する第１〜第３のフィルタ回路４２、４４、４６の出力ＦＯ１〜ＦＯ３の比率を変更できなかったが、本発明はこれに限定されるものではない。本発明に係る実施形態２では、多段フィルタ回路４０を構成する第１〜第３のフィルタ回路４２、４４、４６の出力ＦＯ１〜ＦＯ３の比率を、ＨＰＦ回路７３の出力ｈｉｇｈＹに応じて変更可能に構成される。
【０１４７】
このような実施形態２における画像処理部が、実施形態１における画像処理部３０と異なる点は、輝度信号補正量算出回路の構成である。そこで、以下では、実施形態１と共通する点については図示及び説明を省略し、実施形態２における画像処理部の輝度信号補正量算出回路について説明する。
【０１４８】
図１８に、本発明に係る実施形態２における輝度信号補正量算出回路の構成例のブロック図を示す。図１８において、図１０と同一部分には同一符号を付し、適宜説明を省略する。
図１９に、図１８の重み付け算出回路１９２の動作説明図を示す。
【０１４９】
実施形態２における輝度信号補正量算出回路１９０は、重み付け算出回路１９２、乗算器５３１〜５３３、加算器５４、乗算器５５、輝度ゲイン算出回路５６を含む。
【０１５０】
重み付け算出回路１９２には、周波数解析回路７０の高周波成分抽出回路７２のＨＰＦ回路７３によって生成された出力ｈｉｇｈＹが入力される。そして、重み付け算出回路１９２は、図１９に示すように、ＨＰＦ回路７３からの出力ｈｉｇｈＹに応じて、重み付け係数ｇ１〜ｇ３を算出する。
【０１５１】
このような重み付け算出回路１９２は、入力をＨＰＦ回路７３からの出力ｈｉｇｈＹとし、出力を重み付け係数ｇ１〜ｇ３とするＬＵＴにより実現される。そのため、重み付け算出回路１９２には、予めＨＰＦ回路７３からの出力ｈｉｇｈＹに対応した重み付け係数（ｇ１ａ，ｇ２ａ，ｇ３ａ）、（ｇ１ｂ，ｇ２ｂ，ｇ３ｂ）、（ｇ１ｃ，ｇ２ｃ，ｇ３ｃ）、・・・が記憶されており、ＨＰＦ回路７３から出力ｈｉｇｈＹが入力されたとき、これに対応した重み付け係数を出力するようになっている。
【０１５２】
重み付け係数ｇ１は、第１のフィルタ回路４２の出力ＦＯ１が入力される乗算器５３１に入力される。乗算器５３１は、第１のフィルタ回路４２の出力ＦＯ１に重み付け係数ｇ１を乗算した結果を加算器５４に出力する。
【０１５３】
重み付け係数ｇ２は、第２のフィルタ回路４４の出力ＦＯ２が入力される乗算器５３２に入力される。乗算器５３２は、第２のフィルタ回路４４の出力ＦＯ２に重み付け係数ｇ２を乗算した結果を加算器５４に出力する。
【０１５４】
重み付け係数ｇ３は、第３のフィルタ回路４６の出力ＦＯ３が入力される乗算器５３３に入力される。乗算器５３３は、第３のフィルタ回路４６の出力ＦＯ３に重み付け係数ｇ３を乗算した結果を加算器５４に出力する。
【０１５５】
加算器５４は、乗算器５３１〜５３３の各乗算結果を加算し、その加算結果を乗算器５５に出力する。乗算器５５には、輝度ゲイン算出回路５６によって算出された輝度ゲイン係数ｈが入力されている。そして、乗算器５５の出力が、補正信号ＶＡとして出力される。この補正信号ＶＡは、輝度信号補正回路６０に入力される。
【０１５６】
このように、輝度信号補正量算出回路１９０は、ＨＰＦ回路７３からの出力ｈｉｇｈＹと、多段フィルタ回路４０（広義には信号抽出回路）によって抽出された所与の空間周波数帯域の信号と、輝度ゲイン係数とに基づいて、輝度信号の補正量を算出することができる。そして、輝度信号補正回路６０は、例えば入力画像信号を構成する輝度信号又は輝度ノイズ成分が除去された輝度信号に、輝度信号補正量算出回路１９０からの補正信号ＶＡを加算することで、補正後の輝度信号Ｙ１を出力する。
【０１５７】
図２０に、実施形態２における画像処理部の動作説明図を示す。図２０において、図３と同一部分には同一符号を付し、適宜説明を省略する。
【０１５８】
実施形態２では、実施形態１と同様に、画像信号の輝度成分の空間周波数を解析し、空間周波数帯域Ｆａｒ（所与の空間周波数帯域）のみにおいて画像信号の輝度成分の補正量を、画像信号の輝度成分の空間周波数の解析結果に応じて算出し、該補正量を用いて画像信号の輝度成分を補正する。このとき、入力画像信号の輝度成分の高周波成分に応じて、階調の補正強度を異ならせる。更に、実施形態２では、多段フィルタ回路４０を構成する第１〜第３のフィルタ回路４２、４４、４６の出力ＦＯ１〜ＦＯ３の比率を変更できるため、図２０に示すように、高周波成分のレベルが小さくなって輝度ノイズが多くなるに従って空間周波数帯域が狭くなるように輝度信号を抽出することができる。そして、低輝度でゲインが大きくなるように輝度ゲインを与えることで、暗部のディテールのみを増幅することができるようになる。
【０１５９】
このように、実施形態２によれば、実施形態１の効果に加えて、輝度ノイズ量に応じて抽出される空間周波数帯域を狭くできるので、高周波数帯域に存在する輝度ノイズが増幅されるのを防ぐことができるようになる。
【０１６０】
〔実施形態３〕
実施形態１又は実施形態２における画像処理部では、輝度信号補正量算出回路が、重み付け係数記憶回路５２や重み付け算出回路１９２と輝度ゲイン算出回路５６とを有し、重み付け係数や輝度ゲイン係数を乗算する乗算器により補正信号ＶＡを生成する構成となっていたが、本発明はこれに限定されるものではない。
【０１６１】
図２１に、本発明に係る実施形態３における輝度信号補正量算出回路２００の構成例のブロック図を示す。例えば実施形態１における輝度信号補正量算出回路５０に代えて、図２１に示す輝度信号補正量算出回路２００が図４の画像処理部３０に内蔵される。
【０１６２】
輝度信号補正量算出回路２００は、第１〜第３のＬＵＴ２０２１〜２０２３、乗算器２０４１〜２０４３、加算器２０６を含む。第１〜第３のＬＵＴ２０２１〜２０２３の各ＬＵＴには、入力画像信号を構成する輝度信号とＨＰＦ回路７３からの出力ｈｉｇｈＹとが入力される。各ＬＵＴには、入力画像信号を構成する輝度信号とＨＰＦ回路７３からの出力ｈｉｇｈＹとの組み合わせに対応して、輝度ゲイン係数が記憶されている。この輝度信号補正量算出回路２００は、第１〜第３のＬＵＴ２０２１〜２０２３の各ＬＵＴからの輝度ゲイン係数を、多段フィルタ回路４０の各出力に乗算した後、各乗算結果を加算して補正信号ＶＡとして出力する。
【０１６３】
図２２（Ａ）、図２２（Ｂ）、図２２（Ｃ）に、図２１の第１〜第３のＬＵＴ２０２１〜２０２３の動作説明図を示す。
【０１６４】
図２２（Ａ）に示すように、第１のＬＵＴ２０２１には、入力画像信号を構成する輝度信号とＨＰＦ回路７３からの出力ｈｉｇｈＹとが入力され、該輝度信号及び出力ｈｉｇｈＹの組み合わせに対応した輝度ゲイン係数ｊ１を出力する。そのため、第１のＬＵＴ２０２１には、予め輝度信号及び出力ｈｉｇｈＹの組み合わせに対応した輝度ゲイン係数ｊ１ａ、ｊ１ｂ、ｊ１ｃ・・・が記憶されており、輝度信号及び出力ｈｉｇｈＹが入力されたとき該輝度信号及びＨＰＦ回路７３からの出力ｈｉｇｈＹの組み合わせに対応した輝度ゲイン係数を輝度ゲイン係数ｊ１として出力するようになっている。
【０１６５】
図２２（Ｂ）に示すように、第２のＬＵＴ２０２２には、入力画像信号を構成する輝度信号とＨＰＦ回路７３からの出力ｈｉｇｈＹとが入力され、該輝度信号及び出力ｈｉｇｈＹの組み合わせに対応した輝度ゲイン係数ｊ２を出力する。そのため、第２のＬＵＴ２０２２には、予め輝度信号及び出力ｈｉｇｈＹの組み合わせに対応した輝度ゲイン係数ｊ２ａ、ｊ２ｂ、ｊ２ｃ・・・が記憶されており、輝度信号及び出力ｈｉｇｈＹが入力されたとき該輝度信号及びＨＰＦ回路７３からの出力ｈｉｇｈＹの組み合わせに対応した輝度ゲイン係数を輝度ゲイン係数ｊ２として出力するようになっている。
【０１６６】
図２２（Ｃ）に示すように、第３のＬＵＴ２０２３には、入力画像信号を構成する輝度信号とＨＰＦ回路７３からの出力ｈｉｇｈＹとが入力され、該輝度信号及び出力ｈｉｇｈＹの組み合わせに対応した輝度ゲイン係数ｊ３を出力する。そのため、第３のＬＵＴ２０２３には、予め輝度信号及び出力ｈｉｇｈＹの組み合わせに対応した輝度ゲイン係数ｊ３ａ、ｊ３ｂ、ｊ３ｃ・・・が記憶されており、輝度信号及び出力ｈｉｇｈＹが入力されたとき該輝度信号及びＨＰＦ回路７３からの出力ｈｉｇｈＹの組み合わせに対応した輝度ゲイン係数を輝度ゲイン係数ｊ３として出力するようになっている。
【０１６７】
図２１において、乗算器２０４１は、多段フィルタ回路４０を構成する第１のフィルタ回路４２の出力ＦＯ１と第１のＬＵＴ２０２１からの輝度ゲイン係数ｊ１とを乗算し、乗算結果を加算器２０６に出力する。乗算器２０４２は、多段フィルタ回路４０を構成する第２のフィルタ回路４４の出力ＦＯ２と第２のＬＵＴ２０２２からの輝度ゲイン係数ｊ２とを乗算し、乗算結果を加算器２０６に出力する。乗算器２０４３は、多段フィルタ回路４０を構成する第３のフィルタ回路４６の出力ＦＯ３と第３のＬＵＴ２０２３からの輝度ゲイン係数ｊ３とを乗算し、乗算結果を加算器２０６に出力する。
【０１６８】
加算器２０６は、乗算器２０４１〜２０４３の各乗算結果を加算し、加算結果を補正信号ＶＡとして出力する。
【０１６９】
以上のように、実施形態３における画像処理部は、画像信号の輝度成分から所与の空間周波数帯域の信号を抽出する多段フィルタ回路４０を含み、輝度信号補正量算出回路２００は、多段フィルタ回路４０の出力ごとに設けられ補正前の輝度成分のレベルに対応したゲインを出力する複数のテーブルと、多段フィルタ回路４０の出力ごとに設けられ多段フィルタ回路４０の出力と上記の複数のテーブルを構成する各テーブルの出力とを乗算する複数の乗算器と、複数の乗算器の乗算結果を加算する加算器とを含み、加算器の出力を輝度成分の補正量として算出することができる。
【０１７０】
実施形態３においても、実施形態１又は実施形態２と同様に、輝度信号のみならず、該輝度信号に連動して色差信号を補正することができる。
【０１７１】
このような実施形態３によれば、実施形態１又は実施形態２と比較して、輝度信号補正量算出回路に内蔵される乗算器の数を減らすことができるので、低消費電力化及び低コスト化が可能となる。
【０１７２】
〔実施形態４〕
実施形態３における輝度信号補正量算出回路２００が、図２１に示すように、第１〜第３のＬＵＴ２０２１〜２０２３と、乗算器２０４１〜２０４３と、加算器２０６とを有し、第１〜第３のＬＵＴ２０２１〜２０２３からの輝度ゲイン係数を用いた乗算器の乗算結果を加算する構成であったが、本発明はこれに限定されるものではない。
【０１７３】
図２３に、本発明に係る実施形態４における輝度信号補正量算出回路２５０の構成例のブロック図を示す。例えば実施形態１における輝度信号補正量算出回路５０に代えて、図２３に示す輝度信号補正量算出回路２５０が図４の画像処理部３０に内蔵される。
【０１７４】
輝度信号補正量算出回路２５０は、ＬＵＴ２５２を含む。この輝度信号補正量算出回路２５０は、ＬＵＴ２５２からの出力を補正信号ＶＡとして出力する。
【０１７５】
図２４に、図２３のＬＵＴ２５２の動作説明図を示す。
【０１７６】
ＬＵＴ２５２には、入力画像信号を構成する輝度信号及びＨＰＦ回路７３からの出力ｈｉｇｈＹと、多段フィルタ回路４０を構成する第１〜第３のフィルタ回路４２〜４４の各フィルタ回路の出力ＦＯ１〜ＦＯ３が入力され、輝度信号及び出力ｈｉｇｈＹと各フィルタ回路の出力との組み合わせに対応した補正量を出力する。この補正量が、補正信号ＶＡとして出力される。そのため、ＬＵＴ２５２には、予め輝度信号及び出力ｈｉｇｈＹと各フィルタ回路の出力ＦＯ１〜ＦＯ３との組み合わせに対応した補正量（補正信号）ＶＡａ、ＶＡｂ、・・・、ＶＡｃ、ＶＡｄ、ＶＡｅ、・・・が記憶されており、輝度信号、出力ｈｉｇｈＹ及び各フィルタ回路の出力が入力されたとき、これらの組み合わせに対応した補正量を出力するようになっている。
【０１７７】
実施形態４においても、実施形態１又は実施形態２と同様に、輝度信号のみならず、該輝度信号に連動して色差信号を補正することができる。
【０１７８】
このような実施形態４によれば、実施形態１又は実施形態２と比較して、輝度信号補正量算出回路に内蔵される乗算器及び加算器を無くすことができるので、大幅な低消費電力化及び低コスト化が可能となる。
【０１７９】
以上、本発明に係る画像処理装置、画像表示装置、及び画像処理方法を上記の実施形態に基づいて説明したが、本発明は上記の実施形態に限定されるものではなく、その要旨を逸脱しない範囲において種々の態様において実施することが可能であり、例えば次のような変形も可能である。
【０１８０】
（１）上記の各実施形態では、画像表示装置としてプロジェクタを例に説明したが、本発明はこれに限定されるものではない。本発明に係る画像表示装置は、液晶表示装置やプラズマディスプレイ装置、有機ＥＬディスプレイ装置等の画像表示を行う装置全般に適用できる。
【０１８１】
（２）上記の各実施形態では、光変調素子として透過型の液晶パネルを用いたライトバルブを用いるものとして説明したが、本発明はこれに限定されるものではない。光変調素子として、例えばＤＬＰ（Digital Light Processing)（登録商標）、ＬＣＯＳ（Liquid Crystal On Silicon)等を採用してもよい。
【０１８２】
（３）上記の各実施形態では、光変調素子として、いわゆる３板式の透過型の液晶パネルを用いたライトバルブを例に説明したが、単板式の液晶パネルや２板又は４板式以上の透過型の液晶パネルを用いたライトバルブを採用してもよい。
【０１８３】
（４）上記の各実施形態では、１画素を３つの色成分のサブ画素で構成されるものとして説明したが、本発明はこれに限定されるものではない。１画素を構成する色成分数が２、又は４以上であってもよい。
【０１８４】
（５）上記の各実施形態では、輝度ゲイン及び周波数ゲインを算出するようにしていたが、本発明はこれに限定されるものではない。即ち、入力輝度信号を補正する際に、輝度ゲイン及び周波数ゲインの少なくとも１つを算出し、その算出結果を用いて入力輝度信号を補正するようにしてもよい。
【０１８５】
（６）上記の各実施形態において、本発明を、画像処理装置、画像表示装置及び画像処理方法として説明したが、本発明はこれに限定されるものではない。例えば、上記の画像処理装置や画像表示装置を含む画像表示システムであってもよい。或いは、例えば、本発明を実現するための画像処理装置の処理方法（画像処理方法）の処理手順が記述されたプログラムや、該プログラムが記録された記録媒体であってもよい。
【図面の簡単な説明】
【０１８６】
【図１】本発明に係る実施形態１における画像表示システムの構成例のブロック図。
【図２】図１の画像処理部において行われる階調補正処理の説明図。
【図３】図１の画像処理部の動作説明図。
【図４】図１の画像処理部のハードウェア構成例のブロック図。
【図５】図４の周波数解析回路の構成例のブロック図
【図６】図５のＨＰＦ回路、ＬＰＦ回路のフィルタ特性の一例を示す図。
【図７】重み付け算出回路の動作説明図。
【図８】重み付け算出回路が出力する重み付け係数の説明図。
【図９】図４の多段フィルタ回路の構成例のブロック図。
【図１０】図４の輝度信号補正量算出回路の構成例のブロック図。
【図１１】図１０の輝度ゲイン算出回路の動作説明図。
【図１２】図１０の周波数ゲイン算出回路の動作説明図。
【図１３】図４の色差ゲイン算出回路の構成例のブロック図。
【図１４】図１３の色差ゲイン算出回路の動作例の説明図。
【図１５】実施形態１における画像処理部の輝度信号の補正処理例のフロー図。
【図１６】実施形態１における画像処理部の色差信号の補正処理例のフロー図。
【図１７】図１の投射部の構成例の図。
【図１８】実施形態２における輝度信号補正量算出回路の構成例のブロック図。
【図１９】図１８の重み付け算出回路の動作説明図。
【図２０】実施形態２における画像処理部の動作説明図。
【図２１】本発明に係る実施形態３における輝度信号補正量算出回路の構成例のブロック図。
【図２２】図２２（Ａ）、図２２（Ｂ）、図２２（Ｃ）は図２１の第１〜第３のＬＵＴの動作説明図。
【図２３】本発明に係る実施形態４における輝度信号補正量算出回路の構成例のブロック図。
【図２４】図２３のＬＵＴの動作説明図。
【図２５】従来の階調補正処理の説明図。
【符号の説明】
【０１８７】
１０…画像表示システム、  ２０…プロジェクタ、  ３０…画像処理部、
３２，３４…ラインメモリ、  ４０…多段フィルタ回路、  ４２…第１のフィルタ回路、
４４…第２のフィルタ回路、  ４６…第３のフィルタ回路、
５０，１９０，２００，２５０…輝度信号補正量算出回路、
５２…重み付け係数記憶回路、
５３１〜５３３，５５，５９，７７，７８，Ｍ１…乗算器、
５４，７９，Ａ１…加算器、  ５６…輝度ゲイン算出回路、
５８…周波数ゲイン算出回路、  ６０…輝度信号補正回路、  ７０…周波数解析回路、
７２…高周波成分抽出回路、  ７３…ＨＰＦ回路、  ７４…輝度ノイズ除去回路、
７５…ＬＰＦ回路、  ７６，１９２…重み付け算出回路、  ８０…色差ゲイン算出回路、
８２…色差信号調整回路、  ８４…調整パラメータ記憶部、  ９０…色差信号補正回路、
１００…投射部、  １１０…光源、  １１２，１１４…インテグレータレンズ、
１１６…偏光変換素子、  １１８…重畳レンズ、  １２０Ｒ…Ｒ用ダイクロイックミラー、
１２０Ｇ…Ｇ用ダイクロイックミラー、  １２２，１４８，１５０…反射ミラー、
１２４Ｒ…Ｒ用フィールドレンズ、  １２４Ｇ…Ｇ用フィールドレンズ、
１３０Ｒ…Ｒ用液晶パネル、  １３０Ｇ…Ｇ用液晶パネル、
１３０Ｂ…Ｂ用液晶パネル、  １４０…リレー光学系、
１４２，１４４，１４６…リレーレンズ、  １６０…クロスダイクロイックプリズム、
１７０…投射レンズ、  ２０２１…第１のＬＵＴ、  ２０２２…第２のＬＵＴ、
２０２３…第３のＬＵＴ、  ２５２…ＬＵＴ、  ＦＯ１〜ＦＯ３…フィルタ回路の出力、
Ｇ１…輝度ゲイン算出手段、  Ｌ１…信号抽出手段、  ＳＣＲ…スクリーン、
Ｙ，Ｙ１…輝度信号、  Ｕ，Ｕ１，Ｖ，Ｖ１…色差信号
【図１】
2010118890.tif 000008
【図３】
2010118890.tif 000009
【図４】
2010118890.tif 000010
【図５】
2010118890.tif 000011
【図６】
2010118890.tif 000012
【図７】
2010118890.tif 000013
【図８】
2010118890.tif 000014
【図９】
2010118890.tif 000015
【図１０】
2010118890.tif 000016
【図１１】
2010118890.tif 000017
【図１２】
2010118890.tif 000018
【図１３】
2010118890.tif 000019
【図１４】
2010118890.tif 000020
【図１５】
2010118890.tif 000021
【図１６】
2010118890.tif 000022
【図１７】
2010118890.tif 000023
【図１８】
2010118890.tif 000024
【図１９】
2010118890.tif 000025
【図２０】
2010118890.tif 000026
【図２１】
2010118890.tif 000027
【図２２】
2010118890.tif 000028
【図２３】
2010118890.tif 000029
【図２４】
2010118890.tif 000030
【図２】
2010118890.tif 000031
【図２５】
2010118890.tif 000032